(57)【要約】【課題】  メガネのフロント部であって、リムに嵌るレンズに無理をかけることなく、又デザインの多様化を図ることが出来るフロント部の提供。【解決手段】  フロント部１は表フロント板５と裏フロント板６を重ね合わせた構造とし、表フロント板５の表リム７と裏フロント板６の裏リム８とでレンズ外周を挟み込み、表フロント板５と裏フロント板６の連結部９，１０及び両側には表溝１１，１３と裏溝１２，１４を貫通して設け、一方側から先端にツメを形成して２本の脚を延ばした止め具１５，１８を嵌めると共に、反対側からロック片１６，２０を上記両脚の間に嵌合している。【選択図】    図２
2009175236.tif 000002
【特許請求の範囲】
【請求項１】
メガネのフロント部において、該フロント部は表フロント板と裏フロント板を重ね合わせた構造とし、表フロント板の表リムと裏フロント板の裏リムとでレンズ外周を挟み込んだことを特徴とするメガネのフロント部。
【請求項２】
メガネのフロント部において、該フロント部は表フロント板と２枚の裏リムを重ね合わせた構造とし、表フロント板の表リムと裏リムとでレンズ外周を挟み込んだことを特徴とするメガネのフロント部。
【請求項３】
メガネのフロント部において、該フロント部は裏フロント板と２枚の表リムを重ね合わせた構造とし、裏フロント板の裏リムと表リムとでレンズ外周を挟み込んだことを特徴とするメガネのフロント部。
【請求項４】
メガネのフロント部において、該フロント部は表フロント板と裏フロント板を重ね合わせた構造とし、表フロント板の表リムと裏フロント板の裏リムとでレンズ外周を挟み込み、表フロント板と裏フロント板の連結部及び両側には表溝と裏溝を貫通して設け、一方側から先端にツメを形成して２本の脚を延ばした止め具を嵌めると共に、反対側からロック片を上記両脚の間に嵌合したことを特徴とするメガネのフロント部。
【請求項５】
メガネのフロント部において、該フロント部は表フロント板と裏フロント板を重ね合わせた構造とし、表フロント板の表リムと裏フロント板の裏リムとでレンズ外周を挟み込み、表フロント板と裏フロント板の連結部及び両側には表溝と裏溝を貫通して設け、上記連結部の正面側から先端にツメを形成して２本の脚を延ばした止め具を嵌めると共に、裏側からロック片を上記両脚の間に嵌合し、ツル端には先端にツメを形成して２本の脚を延ばした止め具を取付けて上記フロント部両側の裏溝及び表溝に嵌めると共に、表側からロック片を両脚の間に嵌合したことを特徴とするメガネのフロント部。
【発明の詳細な説明】
【技術分野】
【０００１】
本発明はメガネのフロント部を成すリムを表リムと裏リムとで構成したメガネフレームに関するものである。
【背景技術】
【０００２】
図４は従来の一般的なメガネフレームを表している。同図のメガネフレームは金属製であり、（イ）はフロント部、（ロ）はツルを表し、フロント部（イ）には連結部材（ハ）にて繋がれたリム（ニ）、（ニ）と両側に固定されたヨロイ（ホ）、（ホ）を有し、該ヨロイ（ホ）、（ホ）には蝶番（ヘ）、（ヘ）を介してツル（ロ）、（ロ）が折畳み可能に取付けられている。
【０００３】
ところで、上記フロント部（イ）に設けているリム（ニ）にはレンズ（ト）が取付けられるが、ヨロイ裏側部位に隠れて設けているブローチのネジを弛めて嵌めることが出来る。すなわち、ブローチのネジを弛めることでリム周長が拡大し、この状態でレンズを嵌めて再び締め付けられる。リム内周にはレンズ（ト）が嵌るように所定の形状に曲げ成形されるが、僅かな寸法並びに形状誤差はレンズ（ト）に無理な応力をかけることに成る。その為に、レンズ（ト）の欠けやレンズ割れを発生する。
【０００４】
図５は図４のＡ−Ａ断面拡大図であるが、リム内周には溝（チ）が設けられ、この溝（チ）にレンズ外周が嵌って取付けられる。レンズ表面は所定の曲率で湾曲すると共に、外周は概略楕円形を成している。このようなレンズ（ト）の外周が嵌るリム（ニ）の形状は３次元形状に湾曲しなければならず、一般的にはレンズ外周が隙間なく完全に嵌ることはない。
【０００５】
すなわち、レンズ外周は部分的にリム内周面（リ）と接することで、ブローチを締め付けるならば接触面圧は極端に大きくなり、又フロント部（イ）が曲がったり捩れたりすれば、さらに大きな面圧と成る。このことが原因でレンズ割れを誘発する。
【０００６】
一方、メガネの最も大きな部分を占めるフロント部（イ）のデザインは制約され、概略楕円形のリム形状を色々変えることは出来るが、リング状の細い線材で構成しているリム（ニ）の表面をカラーメッキしたり塗装するのが限度である。
【発明の開示】
【発明が解決しようとする課題】
【０００７】
このように、１本の線材を曲げ成形したリムを有すフロント部には上記のごとき問題がある。本発明が解決しようとする課題はこれら問題点であって、レンズに無理をかけることなく、又色々なデザインを施すことが出来るメガネのフロント部を提供する。
【課題を解決するための手段】
【０００８】
本発明に係るメガネはそのフロント部に特徴を有している。そこで、リムは１本の細い線材で構成するのではなく、表リムと裏リムから成っていて、該表リムと裏リムとでレンズ外周を挟み込む構造としている。ここで、表リム及び裏リムは線材を曲げ成形してもよく、又は薄い板材を打抜き・切断などの加工を施して作ることも可能である。
【０００９】
一方、表リムと裏リムは表フロント板及び裏フロント板と一体化して構成することもある。そして、表リム及び裏リムはレンズを挟み込み、止め具やネジを介して連結される。ここで、表リム及び裏リムは連結部によって左右対称に形成されるが、止め具の形状は限定しない。
【発明の効果】
【００１０】
本発明ではフロント部のリムを表リムと裏リムで構成し、両リムによってレンズ外周を挟み込むことが出来る。従って、従来のように１本の線材で構成した概略楕円形のリムを締め付けるブローチは不要となり、レンズ外周を両面側から挟み込む為にレンズに無理がかからず、レンズ欠けやレンズ割れの発生を抑制できる。表リム及び裏リムの厚さを薄くするならば、変形してレンズ両面になじむことが出来、レンズには無理がかからない。
【００１１】
一方、リムが表リムと裏リムで構成されることで、両リムの色彩を変えることが出来、フロント部の色彩上のデザインが多様化することが出来る。又、表リムと裏リムの内周面は同一寸法と成っているが、外周は必ずしも同一形状にする必要はなく、外形を違わせることで形状面のデザインを多様化できる。
【実施例】
【００１２】
図１は本発明に係るメガネフレームの正面図であり、図２は展開図を表している。同図の１はメガネのフロント部、２はツルを示し、ツル２，２はフロント部１の両側に折畳み出来るように取付けられている。ところで、フロント部１はリム３，３と連結部４を有し、両リム３，３は連結部４を中心に左右対称に形成している。
【００１３】
そして、本発明の場合、上記フロント部１は表フロント板５と裏フロント板６から成り、表フロント板５と裏フロント板６は互いに接合される。表フロント板５は表リム７，７が表連結部９にて繋がれ、裏フロント板６は裏リム８，８が裏連結部１０にて繋がれている。同図に示す表フロント板５及び裏フロント板６は薄い金属板又は樹脂板を切削したり切断して製作することが出来る。
【００１４】
そして、表連結部９及び裏連結部１０には細長い表溝１１と裏溝１２が貫通し、又表フロント板５及び裏フロント板６の両側には縦方向に延びる表溝１３，１３と裏溝１４，１４を形成している。ところで、表フロント板５と裏フロント板６は互いに重なり合って接合し、この状態で表連結部９及び裏連結部１０に形成した表溝１１と裏溝１２に表側から止め具１５を嵌合し、裏側からはロック片１６が嵌められる。
【００１５】
止め具１５は２本の脚１７，１７を延ばし、該脚先端には外側へ突出するツメを形成しており、止め具１５の両脚１７，１７は表溝１１及び裏溝１２を貫通し、ツメは裏溝１２の両側に係止する。そしてロック片１６を両脚１７，１７の間に嵌めるならば、該止め具１５は外れない。
【００１６】
同じく、フロント部１の両側もツル２，２に設けている止め具１８，１８によって表フロント板５と裏フロント板６は連結固定される。すなわち、止め具１８には２本の脚１９，１９を延ばし、脚先端にはツメを外側へ突出している。そこで、両脚１９，１９が裏溝１４と表溝１３を貫通すると共にツメは表溝１３の縁に係止する。そして、表側からロック片２０を両脚１９，１９の間に嵌合することで止め具１８は外れることなく固定される。
【００１７】
この止め具１８は表フロント板５と裏フロント板６を連結するだけでなく、ツル２をフロント部１に取付ける役目を持っている。又、止め具１８とツル２との間には継手部２１を有し、該継手部２１を介してツル２は折畳まれる。
【００１８】
ところで、表フロント板５と裏フロント板６はその外形を多少違わせている。レンズが嵌るリム３，３の内周は表リム７と裏リム８は同一寸法・形状としているが、外形は図１に示すように異なっている。すなわち、表フロント板５は裏フロント板６に比較して小さく成っている為に、正面から観ると裏フロント板６の一部が表面化している。
【００１９】
図３はリム３にレンズ２２が嵌っている縦断面拡大図であり、表リム７と裏リム８の内周は傾斜面２３，２３を有し、対を成す両傾斜面２３，２３にて形成される溝２４にレンズ２２が嵌る。表フロント板５及び裏フロント板６は薄板で構成され、レンズ２２を両側から挟み込むことが出来、レンズ２２に無理をかけることなく安定して保持することが出来る。
【００２０】
薄板で構成される表フロント板５及び裏フロント板６はレンズ２２になじんで変形することが出来、レンズ外周は傾斜面２３，２３と密着して保持される。従って、レンズ２２がフロント部１から外れ落ちることはない。
【００２１】
ところで、表フロント板５と裏フロント板６を重ね合わせて構成されるフロント部１はそのデザインの多様化を図ることが出来る。これが本発明の大きな特徴の１つであり、例えば、表フロント板５と裏フロント板６の外形を違わせることで従来には存在しないフロント部１を構成できる。又、表フロント板５と裏フロント板６の色彩を違わせることも可能である。
【００２２】
フロント部１を構成する表フロント板５及び裏フロント板６の材質は金属又は樹脂であるが、互いに違わせることもある。例えば、表フロント板５を金属製とし、裏フロント板６を樹脂製とする場合、又は逆に表フロント板５を樹脂製とし、裏フロント板６を金属製する場合もある。
【００２３】
そして、表フロント板５と裏フロント板６を連結する手段は図２に示す止め具１５，１８に限らず、ネジ止めすることも出来る。実施例ではフロント部１を表フロント板５と裏フロント板６とで構成しているが、表フロント板５の裏側に２枚の裏リム８、８を接合した構造とすることもあり、逆に裏フロント板６の表面に２枚の表リムを取付けることも出来る。すなわち、表側又は裏側の何れか片方を分離した２枚の表リム７，７、又は２枚の裏リム８，８を重ね合わせてレンズ２２を挟み込むこともある。
【図面の簡単な説明】
【００２４】
【図１】本発明に係るメガネのフロント部の正面図。
【図２】本発明に係るメガネフレームの分解図。
【図３】表リムと裏リムとで挟み込まれるレンズの縦断面図。
【図４】一般的な従来のメガネフレーム。
【図５】図４のＡ−Ａ断面拡大図。
【符号の説明】
【００２５】
１  フロント部
２  ツル
３  リム
４  連結部
５  表フロント板
６  裏フロント板
７  表リム
８  裏リム
９  表連結部
10  裏連結部
11  表溝
12  裏溝
13  表溝
14  裏溝
15  止め具
16  ロック片
17  脚
18  止め具
19  脚
20  ロック片
21  継手部
22  レンズ
23  傾斜面
24  溝
【図１】
2009175236.tif 000003
【図２】
2009175236.tif 000004
【図３】
2009175236.tif 000005
【図４】
2009175236.tif 000006
【図５】
2009175236.tif 000007